(57)【要約】      （修正有）【課題】目的の商品の商品陳列エリアへ視認者をスムーズに誘導できる商品誘導装置及び商品誘導システムを提供する。【解決手段】商品誘導装置３０は、店舗内における視認者が視認可能な位置に設置された表示部６０を備えている。表示部６０は、目的の商品に関する図形情報６５ａを少なくとも表示する商品図形領域６０ｂと、商品図形領域６０ｂに対して表示部６０の幅方向に並び、商品陳列エリアを示す商品位置情報を図形情報６５ａよりも小さく表示する位置情報領域６０ｃと、商品図形領域６０ｂ及び位置情報領域６０ｃの下方に位置し、目的の商品に関するメイン文字情報６３を表示する商品名領域６０ａと、を備えている。【選択図】図４
0003223803.tif 000002
【実用新案登録請求の範囲】
【請求項１】
店舗内における視認者が視認可能な位置に設置された表示部を備え、視認者を目的の商品が陳列された商品陳列エリアに誘導する商品誘導装置であって、
前記表示部は、
前記目的の商品に関する図形情報を少なくとも表示する第１領域と、
前記第１領域に対して前記表示部の幅方向に並び、前記商品陳列エリアを示す商品位置情報を前記図形情報よりも小さく表示する第２領域と、
前記第１領域及び前記第２領域の下方に位置し、前記目的の商品に関する文字情報を表示する第３領域と、を備えている商品誘導装置。
【請求項２】
前記第１領域及び前記第２領域の背景色は、互いに同色とされ、
前記第１領域及び前記第２領域の背景色と、前記第３領域の背景色と、は異色とされ、
前記第１領域、前記第２領域及び前記第３領域の前景色は、互いに同色とされている請求項１に記載の商品誘導装置。
【請求項３】
商品陳列エリアと、
前記商品陳列エリアを区画する通路と、
視認者を目的の商品が陳列された前記商品陳列エリアに誘導する請求項１又は請求項２に記載の商品誘導装置と、を備えている商品誘導システム。
【請求項４】
前記商品誘導装置は、前記店舗内の天井面から吊り下げられ、
前記商品誘導装置のうち、前記第２領域の少なくとも一部が上下方向から見た平面視で前記商品陳列エリアに重なり合っている請求項３に記載の商品誘導システム。
【考案の詳細な説明】
【技術分野】
【０００１】
本考案は、商品誘導装置及び商品誘導システムに関する。
【背景技術】
【０００２】
店舗には、目的の商品の販売エリアまで買物客をスムーズに誘導できるような工夫が施されている。この種の工夫としては、例えば商品情報（例えば、商品分野や商品名等）が付された看板を店舗に設置することが一般的である。
また、例えば下記特許文献１には、ショッピングかごに店内地図を表示することで、看板がない場合や看板が見え難い場合であっても、目的とする商品を簡単に探せる構成が開示されている。
【先行技術文献】
【特許文献】
【０００３】
【特許文献１】登録実用新案第３１４９４２４号公報
【考案の概要】
【考案が解決しようとする課題】
【０００４】
ところで、例えばホームセンター等の大型店舗は、多種多様な商品が陳列されており、そこに訪れる買物客の客層（例えば、年齢層や国籍等）も様々である。そのため、店舗内において、可能な限り幅広い客層が目的の商品の商品陳列エリアを簡易迅速に判断できる方法が望まれていた。
【０００５】
本考案は、目的の商品の商品陳列エリアへ視認者をスムーズに誘導できる商品誘導装置及び商品誘導システムを提供することを目的とする。
【課題を解決するための手段】
【０００６】
上記目的を達成するために、本考案の一態様に係る商品誘導装置は、店舗内における視認者が視認可能な位置に設置された表示部を備え、視認者を目的の商品が陳列された商品陳列エリアに誘導する商品誘導装置であって、前記表示部は、前記目的の商品に関する図形情報を少なくとも表示する第１領域と、前記第１領域に対して前記表示部の幅方向に並び、前記商品陳列エリアを示す商品位置情報を前記図形情報よりも小さく表示する第２領域と、前記第１領域及び前記第２領域の下方に位置し、前記目的の商品に関する文字情報を表示する第３領域と、を備えている。
本考案の一態様に係る商品誘導システムは、商品陳列エリアと、前記商品陳列エリアを区画する通路と、視認者を目的の商品が陳列された前記商品陳列エリアに誘導する上記態様に係る商品誘導装置と、を備えている。
【考案の効果】
【０００７】
上記態様によれば、目的の商品の商品陳列エリアへ視認者をスムーズに誘導できる。
【図面の簡単な説明】
【０００８】
【図１】実施形態に係る店舗の平面図である。
【図２】図１のＩＩ−ＩＩ線に相当する部分における店舗の断面図である。
【図３】図１のＩＩＩ−ＩＩＩ線に相当する部分における店舗の断面図である。
【図４】実施形態に係る第１大看板の正面図である。
【図５】図１のＶ−Ｖ線に相当する部分における店舗の断面図である。
【図６】実施形態の変形例に係る大看板の正面図である。
【考案を実施するための形態】
【０００９】
次に、本考案の実施形態を図面に基づいて説明する。
［商品誘導システム１］
図１は、店舗の平面図である。
図１に示すように、商品誘導システム１は、店舗２内において、買物客や店員等（以下、まとめて視認者という。）を、目的とする商品が陳列された商品陳列エリア２０に誘導するためのものである。商品誘導システム１は、通路１０，１１と、商品陳列エリア２０と、商品誘導装置３０と、を備えている。
【００１０】
本実施形態の店舗２は、例えばホームセンター等の大型店舗である。店舗２は、複数の通路１０，１１が格子状に張り巡らされている。以下の説明では、上下方向をＺ方向とし、Ｚ方向に直交する２方向をそれぞれＸ方向及びＹ方向として説明する。なお、商品誘導システム１が採用される店舗２の種類は、ホームセンターに限られない。
【００１１】
＜通路＞
通路１０，１１は、例えば大通路１０及び中通路１１である。
大通路１０は、店舗２のメイン通路である。大通路１０は、Ｘ方向に延びるＸ方向大通路１０ａや、Ｙ方向に延びるＹ方向大通路１０ｂを備えている。Ｘ方向大通路１０ａは、Ｙ方向に間隔をあけて複数本配列されている。Ｙ方向大通路１０ｂは、Ｘ方向に間隔をあけて複数の配列されている。各Ｘ方向大通路１０ａ及びＹ方向大通路１０ｂのうち、何れかのＸ方向大通路１０ａ及びＹ方向大通路１０ｂ同士は、互いに交差（例えば、直交）している。各大通路１０は、例えば出入口１３に繋がっていたり、異なる商品分野の商品陳列エリア２０間を区切ったり、会計エリア（不図示）に沿って延びていたりしている。
【００１２】
中通路１１は、大通路１０よりも道幅が狭くなっている。中通路１１は、Ｘ方向に延びるＸ方向中通路１１ａや、Ｙ方向に延びるＹ方向中通路１１ｂを備えている。Ｘ方向中通路１１ａは、例えば隣り合うＹ方向大通路１０ｂやＹ方向中通路１１ｂ間を接続している。Ｙ方向中通路１１ｂは、例えば隣り合うＸ方向大通路１０ａやＸ方向中通路１１ａ間を接続している。なお、本実施形態では、各通路１０，１１がＸ方向又はＹ方向にそれぞれ直線状に延在する構成について説明したが、この構成に限られない。各通路１０，１１は、Ｘ方向やＹ方向に交差する方向に延在していたり、湾曲していたりしてもよい。
【００１３】
＜商品陳列エリア２０＞
図２は、図１のＩＩ−ＩＩ線に相当する部分における店舗２の断面図である。
図２に示すように、商品陳列エリア２０は、店舗２において、何れかの通路１０，１１によって区画されている。商品陳列エリア２０には、陳列棚２１が設置されている。陳列棚２１は、例えばフレーム部材２２に対して、棚板２３がＺ方向に間隔をあけて支持された構成である。棚板２３には、各種商品が例えば商品毎又は科目毎に陳列されている。なお、商品陳列エリア２０に陳列される商品の陳列形態は、適宜変更が可能である。
【００１４】
図３は、図１のＩＩＩ−ＩＩＩ線に相当する部分における店舗２の断面図である。
図３に示すように、棚板２３は、フレーム部材２２からＸ方向の両側に張り出すサイド棚板２３ａと、フレーム部材２２からＹ方向に張り出す端部棚板２３ｂと、を備えている。
サイド棚板２３ａには、陳列棚２１に対してＸ方向の両側に面する通路１０，１１に沿って商品が陳列される。
端部棚板２３ｂには、陳列棚２１に対してＹ方向の両側に面する通路１０，１１に沿って商品が陳列される。なお、陳列棚２１は、棚板２３を有するものに限られない。例えば、フックにより商品が引っ掛けられている構成等でもよい。
【００１５】
＜商品誘導装置３０＞
商品誘導装置３０は、小看板３１、中看板３２、第１大看板３３及び第２大看板３４を含んでいる。各種看板３１〜３３は、陳列棚２１や通路１０，１１上において、視認者により視認可能な位置に設置されている。
図２に示すように、小看板３１は、上述した陳列棚２１に設けられている。小看板３１は、上向きポール４１と、張出ポール４２と、表示部４３と、を備えている。
上向きポール４１は、ベース部から上方に突出している。
張出ポール４２は、上向きポール４１の上端部からＸ方向の両側に突出している。
【００１６】
表示部４３は、張出ポール４２のうち、上向きポール４１に対して＋Ｘ側に位置する部分、及び−Ｘ側に位置する部分から、それぞれ吊り下げられている。すなわち、各表示部４３は、サイド棚板２３ａの上方にそれぞれ位置し、対応するサイド棚板２３ａに陳列された商品の情報を表示している。
【００１７】
表示部４３は、Ｘ方向を長手方向とする長方形状に形成されている。表示部４３は、商品情報領域４３ａと位置情報領域４３ｂに区画されている。
商品情報領域４３ａは、表示部４３のうち、Ｘ方向の内側端部（上向きポール４１側の端部）から、表示部４３のＸ方向の全長に対して３／４程度の領域を占めている。商品情報領域４３ａには、対応する陳列棚２１に陳列された商品の文字情報（商品名や商品科目等）が記載されている。具体的に、商品情報領域４３ａには、背景色が濃色に設定され、前景色（文字色）が淡色に設定されている。本実施形態において、商品情報領域４３ａは、コーポレートカラーである深緑を背景色とし、白抜きで文字情報（例えば、キッチンタオル等）が表示されている。
【００１８】
位置情報領域４３ｂは、表示部４３のうち、商品情報領域４３ａ以外の部分である。本実施形態において、位置情報領域４３ｂは、Ｘ方向の外側端部（上向きポール４１とは反対側の端部）から、表示部４３のＸ方向の全長に対して１／４程度の領域を占めている。位置情報領域４３ｂには、例えば対応する陳列棚２１の番号を示す位置情報が付されている。具体的に、位置情報領域４３ｂには、背景色が淡色に設定され、前景色（文字色）が濃色に設定されている。本実施形態において、位置情報領域４３ｂは、黄色系（木目調）を背景色として、深緑色で位置情報が表示されている。なお、商品情報領域４３ａ及び位置情報領域４３ｂの範囲や大きさ、色等は、適宜変更が可能である。
【００１９】
中看板３２は、店舗２の天井面５０において、例えば中通路１１上に位置する部分から吊り下げられている。したがって、中看板３２は、上述した小看板３１よりも上方に位置している。中看板３２は、Ｘ方向を長手方向とする長方形状とされている。図示の例において、中看板３２は、Ｙ方向中通路１１ｂの大部分を跨るような幅に設定されている。この場合、中看板３２におけるＸ方向の幅は、１３５０ｍｍ程度に設定されている。また、本実施形態において、中看板３２は、天井高が３３００ｍｍに対し、上端位置が天井面５０から１０００ｍｍ程度の高さになるように吊り下げられている。
【００２０】
上述した中看板３２の表示部５５は、位置情報領域５５ａと、第１商品情報領域５５ｂ及び第２商品情報領域５５ｃと、に区画されている。
位置情報領域５５ａは、表示部５５におけるＸ方向の中央部に位置している。位置情報領域５５ａには、例えば対応する通路（図示の例では、Ｙ方向中通路１１ｂ）の番号を示す位置情報が表示されている。位置情報領域５５ａは、上述した小看板３１と同様に、黄色系（木目調）を背景色として、深緑色で位置情報が表示されている。
【００２１】
第１商品情報領域５５ｂは、表示部５５のうち、位置情報領域５５ａに対して＋Ｘ側に位置している。第１商品情報領域５５ｂは、背景色が濃色に設定され、前景色（文字色）が淡色に設定されている。本実施形態において、第１商品情報領域５５ｂは、コーポレートカラーである深緑を背景色とし、白抜きで文字情報（例えば、清掃用品や玄関マット等）が上下二段で表示されている。
【００２２】
第２商品情報領域５５ｃは、表示部５５のうち、位置情報領域５５ａに対して−Ｘ側に位置している。第２商品情報領域５５ｃは、背景色が濃色に設定され、前景色（文字色）が淡色に設定されている。本実施形態において、第２商品情報領域５５ｃは、コーポレートカラーである深緑を背景色とし、白抜きで文字情報（例えば、ハンガーやごみ箱・ペール等）が上下二段で表示されている。
【００２３】
図３に示すように、第１大看板３３は、店舗２の天井面５０のうち、例えばＸ方向大通路１０ａ上に位置する部分から吊り下げられている。本実施形態において、第１大看板３３は、天井高が３３００ｍｍに対し、上端位置が天井面５０から１００ｍｍ程度の高さになるように吊り下げられている。したがって、第１大看板３３は、中看板３２よりも上方に配置されている。
【００２４】
第１大看板３３は、Ｘ方向大通路１０ａのうち、Ｙ方向の中心に対して−Ｙ側（誘導する商品が陳列されている側）に配置されている。本実施形態の第１大看板３３は、平面視において、Ｙ方向の−Ｙ側端部が陳列棚２１（商品陳列エリア２０）と重なり合う位置に配置されている。なお、第１大看板３３と陳列棚２１とのＹ方向における重なり量は、２００ｍｍ以上６００ｍｍ以上であることが好ましい。図示の例では、重なり量が４００ｍｍに設定されている。
【００２５】
図４は、第１大看板３３の正面図である。
図４に示すように、第１大看板３３の表示部６０は、幅（Ｙ方向の幅）が１３００ｍｍ程度、高さＨが１１００ｍｍ程度の長方形状とされている。表示部６０は、商品名領域６０ａと、商品図形領域６０ｂと、位置情報領域６０ｃと、に区画されている。
【００２６】
商品名領域６０ａは、表示部６０の下部において、Ｙ方向の全長に亘って帯状に設定された領域である。商品名領域６０ａの高さｈは、表示部６０におけるＺ方向全体の高さＨに対して１／４程度に設定されている。図示の例において、商品名領域６０ａの高さｈは、例えば３００ｍｍ程度に設定されている。商品名領域６０ａには、対応する商品陳列エリア２０に陳列された商品に関するメイン文字情報６３が表示されている。メイン文字情報６３は、例えば商品科目や商品分野等に関する日本語表記（例えば、キッチン用品等）である。
【００２７】
商品名領域６０ａは、背景色が濃色に設定され、前景色（文字色）が淡色に設定されている。本実施形態において、商品名領域６０ａは、黒色を背景色とし、白抜きでメイン文字情報６３が表示されている。
【００２８】
商品図形領域６０ｂは、表示部６０のうち、商品名領域６０ａの上方であって、表示部６０におけるＹ方向中心に対して＋Ｙ側の領域に設定されている。商品図形領域６０ｂには、対応する商品陳列エリア２０に陳列された商品に関する図形情報６５ａやサブ文字情報６５ｂが表示されている。
【００２９】
図形情報６５ａは、商品図形領域６０ｂにおいて、Ｚ方向全体に対して上端部から３／４程度の領域に設定されている。図形情報６５ａは、例えばキッチン用品に関するピクトグラム（泡立て器やフライ返し等）である。
サブ文字情報６５ｂは、上述したメイン文字情報６３とは異なる言語標記である。本実施形態では、対応する商品陳列エリア２０に陳列された商品が英語表記（Ｋｉｔｃｈｎｗａｒｅ）で表示されている。商品図形領域６０ｂは、深緑を背景色とし、白抜きで図形情報６５ａやサブ文字情報６５ｂが付されている。
【００３０】
位置情報領域６０ｃは、表示部６０のうち、商品名領域６０ａの上方であって、表示部６０におけるＹ方向中心に対して−Ｙ側の領域に設定されている。本実施形態において、商品図形領域６０ｂと位置情報領域６０ｃとのＹ方向の幅の割合は、例えば１：１に設定されている。但し、商品図形領域６０ｂと位置情報領域６０ｃとのＹ方向の幅の割合は、適宜変更が可能である。この場合、商品図形領域６０ｂの幅が位置情報領域６０ｃの幅よりも広いことが視認性の観点等から好ましい。
【００３１】
位置情報領域６０ｃには、商品名領域６０ａや商品図形領域６０ｂに付された商品科目や商品分野が陳列された場所（商品陳列エリア２０）に関する位置情報６６を表示している。本実施形態において、位置情報６６は、矢印画像である。位置情報６６は、位置情報領域６０ｃ全体のうち、−Ｙ側の下部に付されている。したがって、上述した図形情報６５ａ及び位置情報６６は、商品図形領域６０ｂ及び位置情報領域６０ｃ全体における対角線上に位置している。また、図示の例において、位置情報６６は、平面視において、表示部６０のうち、陳列棚２１と重なり合う部分に付されている。
【００３２】
位置情報領域６０ｃにおいて、位置情報６６に対して上方及び＋Ｙ側に位置する領域は、背景色のみが付されたブランク領域６７に設定されている。すなわち、ブランク領域６７は、位置情報６６と商品図形領域６０ｂとの間を隔てている。本実施形態において、位置情報領域６０ｃは、深緑を背景色とし、白抜きで位置情報６６が表示されている。なお、位置情報領域６０ｃにおける位置情報６６とブランク領域６７の面積比率は、適宜変更が可能である。
【００３３】
図５は、図１のＶ−Ｖ線に相当する店舗２の断面図である。
図５に示すように、第２大看板３４は、店舗２の天井面５０のうち、例えばＸ方向中通路１１ａ上に位置する部分から吊り下げられている。本実施形態において、第２大看板３４は、第１大看板３３と同様に、天井高が３３００ｍｍに対し、上端位置が天井面５０から１００ｍｍ程度の高さになるように吊り下げられている。以下の説明において、第１大看板３３と同様の構成については、同一の符号を付して説明を省略する。
【００３４】
第１大看板３３は、Ｙ方向を長手方向とする長方形状に形成されているのに対し、第２大看板３４は、Ｚ方向を長手方向とする長方形状に形成されている。第２大看板３４において、商品図形領域６０ｂの幅は、位置情報領域６０ｃの幅に比べて広くなっている。図示の例において、商品図形領域６０ｂと位置情報領域６０ｃとの幅の割合は、２：１程度に設定されている。
【００３５】
また、第２大看板３４は、Ｘ方向中通路１１ａ上において、Ｙ方向の中心に対して＋Ｙ側（誘導する商品が陳列されている側）であって、商品陳列エリア２０と平面視で重ならない位置に配置されている。
【００３６】
本実施形態では、目的の商品に関する商品情報を少なくとも図形で表示する商品図形領域６０ｂと、商品図形領域６０ｂに対してＹ方向に並び、目的の商品の販売位置を指し示す位置情報６６を図形情報６５ａよりも小さく表示する位置情報領域６０ｃと、を備える構成とした。
この構成によれば、表示部６０において、商品図形領域６０ｂにおける図形情報６５ａが最も大きく表示される。そのため、図形情報６５ａは、視認者にとって最も目を引く部分となる。これにより、視認者は、図形情報６５ａに基づき、目的の商品が近くに陳列されていることを容易に判断することができる。
そして、位置情報領域６０ｃが商品図形領域６０ｂに対してＹ方向に並んでいるため、図形情報６５ａを見た後の自然な目の流れで位置情報６６を視認することになる。これにより、視認者は、位置情報６６に基づき、目的の商品の商品陳列エリア２０の場所を特定することができる。
しかも、表示部６０のうち、商品図形領域６０ｂ及び位置情報領域６０ｃの下方に商品名領域６０ａが設けられている。そのため、図形情報６５ａのみでは判断し難い場合等であっても、商品名領域６０ａに付された商品名に基づき、目的の商品が近くに陳列されていることをより正確に判断できる。
その結果、本実施形態によれば、視認者による視認性を向上させ、視認者が目的の商品の商品陳列エリア２０を簡易迅速に判断できる。
【００３７】
本実施形態では、商品図形領域６０ｂ及び位置情報領域６０ｃの背景色を互いに同色とし、商品図形領域６０ｂ及び位置情報領域６０ｃの背景色と、商品名領域６０ａの背景色と、を異色とする構成とした。
この構成によれば、商品図形領域６０ｂの図形情報６５から位置情報領域６０ｃの位置情報６６へと視認者の眼が自然に流れやすい。そのため、視認性の更なる向上を図り、目的の商品及び商品陳列エリア２０の位置を簡易迅速に判断できる。
しかも、各領域６０ａ〜６０ｃの前景色を互いに同色に設定したことで、各種情報の認識を速やかに行うことができるとともに、大看板３３，３４全体としての統一性を確保できる。
【００３８】
本実施形態では、位置情報領域６０ｃにおける位置情報６６の周囲に背景色と同色のブランク領域６７を設定した。
この構成によれば、図形情報６５ａと位置情報６６とを離間させることができるので、図形情報６５ａと位置情報６６とが近接している場合に比べ、図形情報６５及び位置情報６６をそれぞれ独立して判断し易くなる。その結果、視認性の向上を図ることができる。
【００３９】
本実施形態の商品誘導システム１は、上述した商品誘導装置３０を備えているため、目的の商品の商品陳列エリア２０へ視認者をスムーズに誘導することができる。
【００４０】
本実施形態では、第１大看板３３のうち、位置情報領域６０ｃの少なくとも一部が平面視で商品陳列エリア２０（陳列棚２１）に重なり合っている構成とした。
この構成によれば、例えば通路１０，１１上に第１大看板３３が吊り下げられている場合において、目的とする商品陳列エリア２０が通路１０，１１を挟んでどちらの位置にあるかを容易に判断できる。
【００４１】
（その他の変形例）
以上、本考案の好ましい実施形態を説明したが、本考案はこれら実施形態に限定されることはない。本考案の趣旨を逸脱しない範囲で、構成の付加、省略、置換、及びその他の変更が可能である。本考案は上述した説明によって限定されることはなく、添付の実用新案登録請求の範囲によってのみ限定される。
上述した実施形態では、大通路１０及び中通路１１を備える店舗２に本発明に係る商品誘導システム１を採用した場合について説明したが、この構成に限られない。店舗２のレイアウトは、適宜変更が可能である。
上述した実施形態では、大看板３３について、「キッチン用品」に関する商品陳列エリア２０を表示する構成について説明したが、この構成に限られない。大看板３３，３４に表示する情報は、例えば図６（ａ）〜（ｄ）に示されるように、適宜変更が可能である。
【００４２】
上述した実施形態では、大看板３３，３４について、商品名領域６０ａの背景色を他の領域６０ｂ，６０ｃと異色にした場合について説明したが、この構成に限られない。各領域６０ａ〜６０ｃは互いに同色であってもよく、互いに異色であってもよい。
上述した実施形態では、中看板３２や大看板３３，３４が天井面５０から吊り下げられた構成について説明したが、この構成に限られない。商品誘導装置は、店舗２内において視認者が視認可能な位置に設置していれば、中看板３２や大看板３３，３４に相当する構成を店舗２の床面や柱等に設置してもよい。
上述した実施形態では、各種看板３１〜３４が長方形状に形成された場合について説明したが、この構成に限られない。各種看板３１〜３４は、正方形や三角形状、その他の多角形状であってもよく、円形状や半円形状等であってもよい。
【００４３】
上述した実施形態では、商品図形領域６０ｂに表示する図形情報６５ａとしてピクトグラムを採用した場合について説明したが、この構成に限らず、種々の図形情報６５ａを採用することができる。また、商品図形領域６０ｂに表示する情報は、少なくとも図形情報６５ａが表示されていればよい。
上述した実施形態では、位置情報領域６０ｃに表示する画像として位置情報６６を例にて説明したが、この構成に限られない。位置情報領域６０ｃに表示する画像は、商品陳列エリア２０の位置を認識可能なものであれば適宜変更が可能である。
上述した実施形態では、図形情報として、例えば視認者が携帯する電子機器（例えば、スマートフォン等）で認識可能な図形を表示し、電子機器により位置情報や商品情報を取得する構成等を採用してもよい。
【００４４】
上述した実施形態では、誘導する商品が配置されている側に大看板３３，３４が配置された構成について説明したが、この構成に限られない。例えば、大看板は、幅方向の中心が通路１０，１１における幅方向の中心に設定されていてもよい。この構成によれば、大看板の幅が高さに比べて狭いので、例えば通路幅の狭い通路上に大看板を設置した場合に、通路を間に挟んで両側に配置される商品陳列エリアの双方に重ならないように大看板を設置することができる。
【００４５】
その他、本考案の趣旨を逸脱しない範囲で、上述した実施形態における構成要素を周知の構成要素に置き換えることは適宜可能であり、また、上述した各変形例を適宜組み合わせてもよい。
【符号の説明】
【００４６】
１…商品誘導システム
２…店舗
１０…大通路（通路）
１１…中通路（通路）
２０…商品陳列エリア
３０…商品誘導装置
６０…表示部
６０ａ…商品名領域（第３領域）
６０ｂ…商品図形領域（第１領域）
６０ｃ…位置情報領域（第２領域）
６３…メイン文字情報（文字情報）
６５ａ…図形情報
６６…位置情報
【図１】
0003223803.tif 000003
【図２】
0003223803.tif 000004
【図３】
0003223803.tif 000005
【図４】
0003223803.tif 000006
【図５】
0003223803.tif 000007
【図６】
0003223803.tif 000008